(57)【要約】【課題】  ハンドセットのフック状況に拘わらず自動着信して自動的にハンズフリー通話が可能な電話機を提供する。【解決手段】  ハンドセットによりフックスイッチをオンオフして電話回線の接続遮断を行う自動着信機能付電話機において、自動着信モードにおいてフックスイッチの状態に拘わらず回線接続スイッチをオフに設定して自動着信モード設定時の着信待受状態において電話機を常時回線切断状態に設定するフック制御手段と、同モードにおいて着信があった場合にフック制御手段を以って回線接続スイッチをオンして回線接続状態とする自動着信制御手段と、入力する発信者電話番号と特定発信元電話番号とを比較する電話番号比較手段とを設け、自動着信制御手段は電話番号比較手段により電話番号が一致する場合に自動着信呼出動作を行い、着信検出後一定時間内に応答がない場合はスピーカホンによる通話状態に設定する。【選択図】  図１
2006050365.tif 000002
【特許請求の範囲】
【請求項１】
ハンドセットのオフフック又はオンフックによりフックスイッチをオンオフすることにより回線接続スイッチを介して電話回線との接続遮断を行うものであって、スピーカとマイクによるスピーカホン通話機能及び自動着信モードにおいて発信者の電話番号が予め登録した特定発信元電話番号に一致する場合に自動着信呼出動作を行う自動着信機能を有する自動着信機能付電話機において、
上記自動着信モードにおいて、上記フックスイッチのオンオフ状態に拘わらず上記回線接続スイッチをオフ状態に設定し、これにより当該自動着信モード設定時の着信待受状態においては当該電話機を常時回線切断状態に設定するフック制御手段と、
当該自動着信モードの着信待受状態において着信があった場合に、上記フック制御手段を以って上記回線接続スイッチをオンして回線接続状態とする自動着信制御手段と、
上記回線接続スイッチを介して入力する発信者電話番号と上記特定発信元電話番号とを比較する電話番号比較手段とを設け、
上記自動着信制御手段は、上記電話番号比較手段による比較の結果、両電話番号が一致する場合に自動着信呼出動作を行うと共に、上記着信検出の後、一定時間内に応答操作がないことに基づいて、上記スピーカとマイクとを電話回線に接続してスピーカホンによる通話状態に設定するものであることを特徴とする自動着信機能付電話機。
【請求項２】
上記自動着信制御手段は、上記電話番号比較手段による比較の結果、両電話番号が一致しない場合は、上記自動着信呼出動作を行うことなく、メッセージ送信手段を以って所定のメッセージを発信元に送信後、上記回線接続スイッチを以って電話回線を遮断するものであることを特徴とする請求項１記載の自動着信機能付電話機。
【請求項３】
請求項１又は２に記載の自動着信機能付電話機において、
当該電話機に、照明インターフェースを介して照明器具を接続可能とすると共に、
当該照明器具を点灯させるための時刻に基づく時刻条件と、該照明器具を点灯させるための光度に基づく光度条件とを設定するための照明管理条件登録手段と、
時刻情報を発生するための計時手段及び光度を検出するための光センサーとを設け、
かつ上記時刻条件或いは上記光度条件の内、選択された何れかの条件に基づいて上記照明器具を点灯させる照明制御手段を設け、
上記照明制御手段は、上記照明器具を点灯制御する照明制御モードにおいて、上記時刻条件が選択された場合は上記時刻条件と上記計時手段からの時刻情報との比較を行い、上記光度条件が選択された場合は上記光度条件と上記光センサーの出力光度との比較を行い、これら比較に基づいて各条件を満足している場合に上記照明器具を点灯させるものであることを特徴とする自動着信機能付電話機。
【請求項４】
上記自動着信機能付電話機に自動着信機能設定ボタンを設けると共に、当該電話機を上記自動着信モードに設定するための機能設定手段を設け、
上記機能設定手段は、上記自動着信機能設定ボタンの操作により当該電話機を上記自動着信モードに設定するものであることを特徴とする請求項１又は２記載の自動着信機能付電話機。
【請求項５】
上記自動着信機能付電話機に照明制御機能設定ボタンを設けると共に、当該電話機を上記照明制御モードに設定するための機能設定手段を設け、
上記機能設定手段は、上記照明制御機能設定ボタンの操作により当該電話機を上記照明制御モードに設定するものであることを特徴とする請求項３記載の自動着信機能付電話機。
【発明の詳細な説明】
【技術分野】
【０００１】
本発明は、例えば独居老人等に対する緊急時連絡、防犯等を目的として、簡単なキー操作により特定発信元電話番号からの発信を確実に受信応答し得ると共に、外部照明機器制御機能を具備した自動着信機能付電話機に関するものである。
【背景技術】
【０００２】
従来、老人の独り暮らし等を支援するために、当該老人宅に電話機を設置し、一定時間内に当該電話機において人による操作がなかった場合は、ホストマシンに自動発信し、ホストマシンの応答に対して当該電話機から識別情報を上記ホストマシンに自動応答発信することにより、安否情報の確認を行い得る電話機が提案されている（特許文献１）。
【０００３】
ところが、老人宅に設置した電話機のハンドセットが何らかの原因で当該電話機から外れた場合（オフフック状態）、もはや当該電話機に外部から連絡がとれず、緊急時の連絡や安否確認に支障をきたすことがある。
【０００４】
そこで、ハンドセットが電話機に正しくおかれていなかった場合に交換機から電話機に入力するハウラ音を検出し、該ハウラ音の検出に基づいて電話回線の切断を自動的に行うものが提案されている（特許文献２）。
【０００５】
また、予め特定発信元の電話番号を記憶しておき、発信者情報を検出することにより当該特定発信元から着信があった場合に、自動的にハンズフリー通話状態に設定し得る移動体端末が提案されている（特許文献３）。
【０００６】
さらに、夜間に着信があったとき等の安全性を考慮して、電話機と照明器具とを接続し、着信検出に応答して照明器具を点灯させる電話機が提案されている（特許文献４）。
【０００７】
【特許文献１】特開２００１−１２７８９６号公報
【特許文献２】特開平６−６２０９１号公報
【特許文献３】特開２００３−１２５０７３号公報
【特許文献４】特開平２−２３７３４６号公報
【発明の開示】
【発明が解決しようとする課題】
【０００８】
ところで、特許文献２に示す電話機は、ハンドセットが電話機から外れた場合であっても回線切断されるため、着信は可能であるが、居住者が事故等でハンドセットを取り上げることができない場合には、着信に応答することができないという欠点がある。また、当該電話機は特定発信元からの電話を自動着信する機能は有していない。
【０００９】
また、特許文献３に示す電話機は、自動着信機能を有するものではあるが、自動車運転時の安全性を考慮した移動通信端末であり、当該端末のオンフック又はオフフックはキー操作により行うものであるから、独居老人或いは介護を必要とする者等が使用するには適していない。即ちこの種の電話機は何人にも使用しやすいように、回線の接続切断等はハンドセットにより行う電話機であることが必要とされる。
【００１０】
また、特許文献４に示す電話機においては、照明器具の点灯には着信検出が必要であるから、着信動作とは切り離した照明器具のより細かい点灯制御を行うことができないという欠点がある。
【００１１】
本発明は、上記従来の課題に鑑みてなされたもので、ハンドセットの状態如何に拘わらず、特定発信元からの着信を確実に応答し得る自動着信機能付電話機を提供することを目的とする。
【００１２】
また、本発明は、着信動作とは関係なく外部照明器具の制御機能を具備した自動着信機能付電話機を提供することを目的とする。
【課題を解決するための手段】
【００１３】
上記の目的を達成するため本発明は、
ハンドセットのオフフック又はオンフックによりフックスイッチをオンオフすることにより回線接続スイッチを介して電話回線との接続遮断を行うものであって、スピーカとマイクによるスピーカホン通話機能及び自動着信モードにおいて発信者の電話番号が予め登録した特定発信元電話番号に一致する場合に自動着信呼出動作を行う自動着信機能を有する自動着信機能付電話機において、上記自動着信モードにおいて、上記フックスイッチのオンオフ状態に拘わらず上記回線接続スイッチをオフ状態に設定し、これにより当該自動着信モード設定時の着信待受状態においては当該電話機を常時回線切断状態に設定するフック制御手段と、当該自動着信モードの着信待受状態において着信があった場合に、上記フック制御手段を以って上記回線接続スイッチをオンして回線接続状態とする自動着信制御手段と、上記回線接続スイッチを介して入力する発信者電話番号と上記特定発信元電話番号とを比較する電話番号比較手段とを設け、上記自動着信制御手段は、上記電話番号比較手段による比較の結果、両電話番号が一致する場合に自動着信呼出動作を行うと共に、上記着信検出の後、一定時間内に応答操作がないことに基づいて、上記スピーカとマイクとを電話回線に接続してスピーカホンによる通話状態に設定するものであることを特徴とする自動着信機能付電話機により構成されるものである。
【００１４】
従って、自動着信モードに設定しておけば、ハンドセットが何らかの原因により電話機から外れた場合であっても、特定発信元からの電話を確実に自動着信して呼出を行うことができ、しかも、自動着信呼出後に何等応答操作をしなくても自動的にスピーカホン通話状態に設定されるため、例えば独居老人等に対する緊急連絡等を確実に行うことができる。
【００１５】
また、上記自動着信制御手段は、上記電話番号比較手段による比較の結果、両電話番号が一致しない場合は、上記自動着信呼出動作を行うことなく、メッセージ送信手段を以って所定のメッセージを発信元に送信後、上記回線接続スイッチを以って電話回線を遮断するように構成することが好ましい。
【００１６】
従って、特定発信元以外からの着信は、自動着信呼出動作が行われることなく、たとえば電話に出られない旨のメッセージが発信元に送信されるため、不必要な電話は呼出音もならず一切応答する必要がない。
【００１７】
また、上記自動着信機能付電話機において、当該電話機に、照明インターフェースを介して照明器具を接続可能とすると共に、当該照明器具を点灯させるための時刻に基づく時刻条件と、該照明器具を点灯させるための光度に基づく光度条件とを設定するための照明管理条件登録手段と、時刻情報を発生するための計時手段及び光度を検出するための光センサーとを設け、かつ上記時刻条件或いは上記光度条件の内、選択された何れかの条件に基づいて上記照明器具を点灯させる照明制御手段を設け、上記照明制御手段は、上記照明器具を点灯制御する照明制御モードにおいて、上記時刻条件が選択された場合は上記時刻条件と上記計時手段からの時刻情報との比較を行い、上記光度条件が選択された場合は上記光度条件と上記光センサーの出力光度との比較を行い、これら比較に基づいて各条件を満足している場合に上記照明器具を点灯させるように構成することが好ましい。
【００１８】
従って、例えば当該電話機を照明制御モードに設定し、時刻条件により照明制御を行うべく設定を行うと、例えば午後４時から午後１１時までの時間帯において自動的に照明を点灯させる等の照明制御を容易に行うことができる。従って、特に防犯対策としても極めて有効に使用することができる。
【００１９】
また、上記自動着信機能付電話機に自動着信機能設定ボタンを設けると共に、当該電話機を上記自動着信モードに設定するための機能設定手段を設け、上記機能設定手段は、上記自動着信機能設定ボタンの操作により当該電話機を上記自動着信モードに設定するように構成することが好ましい。
【００２０】
また、上記自動着信機能付電話機に照明制御機能設定ボタンを設けると共に、当該電話機を上記照明制御モードに設定するための機能設定手段を設け、上記機能設定手段は、上記照明制御機能設定ボタンの操作により当該電話機を上記照明制御モードに設定するように構成することが好ましい。
【００２１】
このように１つの機能設定ボタンの操作（例えば１回の押圧操作）という極めて簡単な操作により自動着信モード或いは照明制御モードに設定することができるため、例えば介護の必要な老人、病人等であっても簡単に使用することができる。
【発明の効果】
【００２２】
本発明によれば、何人にも使い良いハンドセットを有する電話機において、ハンドセットのフック状態の如何に拘わらず、特定発信元からの電話を確実に自動着信して呼出を行うことができ、しかも、自動着信呼出後に何等応答操作をしなくても自動的にスピーカホン通話状態に設定し得るため、例えば介護の必要な老人宅、独居老人宅その他の緊急連絡が必要な住居等に使用して極めて効果的である。
【００２３】
また、特定発信元以外から着信があっても自動着信呼出動作が行われることなく、所定のメッセージが発信元に送信されるため、不必要な電話は呼出音もならず一切応答する必要がない。
【００２４】
また、照明制御モードにおいては、着信動作とは無関係に、例えば所定の時間帯において自動的に照明を点灯させる等の照明制御を容易に行うことができるため、照明の点灯消灯条件を細かく設定することができ、特に防傷、防犯対策としても極めて有効に活用することができる。
【００２５】
また、１つの機能設定ボタンの操作により所定のモードに設定することができるため、操作の極めて容易な電話機を実現することができ、例えば介護の必要な老人等であっても容易に使用することができる。
【発明を実施するための最良の形態】
【００２６】
以下、本発明に係る自動着信機能付電話機の一実施形態を詳細に説明する。
【００２７】
図１に本発明に係る自動着信機能付電話機の全体構成を示す。同図に示すように、当該電話機は、電話回線Ｌ１、Ｌ２に接続され、これら電話回線Ｌ１,Ｌ２と当該電話機を接続する回線接続スイッチＴｒ１（図２参照）、フックスイッチＨＳ（図２参照）等を含み、マイク１及びスピーカ２、ハンドセット３の接続された回線ＩＦ（回線インターフェース）４、電話回線Ｌ１,Ｌ２から該回線ＩＦ４を介して受信した発信者情報を復調検出するためのモデム５、該モデム５により検出された発信者電話番号を含む発信者情報を記憶手段１０に記憶するための発信者情報登録回路６、上記発信者情報を記憶するための発信者情報記憶部１０ａ、発信者電話番号を記憶するための発信者電話番号記憶部１０ｂ、照明管理条件を記憶するための照明管理条件記憶部１０ｃからなる記憶手段１０を具備している。
【００２８】
７は、図６〜図１０に示す動作手順からなるプログラムを記憶した記憶部と当該プログラムを実行するＣＰＵ（中央処理装置）からなる制御部であり、当該ＣＰＵの機能は、自動着信機能（自動着信モード時の機能）を実現するための「自動着信機能実現部（イ）」と外部照明器具を点灯制御するための照明制御モード時の機能を実現するための「照明制御機能実現部（ロ）」とに分けることができる。尚、図１に示すものは当該制御部７のＣＰＵの機能をブロック化した機能ブロック図であり、説明の便宜上当該ＣＰＵの機能は後述する。
【００２９】
次に上記回線ＩＦ４の構成を図２に基づいて説明する。電話回線Ｌ１，Ｌ２は極性一致回路４３を介して上記回線接続スイッチＴｒ１（トランジスタスイッチ）のエミッタ側に接続されており、当該スイッチＴｒ１のコレクタ側がクロスポイントスイッチ４４を介して上記モデム５に接続され、これにより当該回線接続スイッチＴｒ１のオンオフにより、当該電話機と電話回線Ｌ１，Ｌ２とを接続或いは遮断することができるようになっている。上記回線接続スイッチＴｒ１のベース側にはフックスイッチＨＳを介して第１スイッチＴｒ３（トランジスタスイッチ）のコレクタ側が接離可能となっており、当該第１スイッチＴｒ３のベース側は回線制御手段７１内のフック制御手段７１３（図３参照）に接続されている。
【００３０】
さらに上記回線接続スイッチＴｒ１のベース側には第２スイッチＴｒ２（トランジスタスイッチ）のコレクタ側が接続されており、該第２スイッチＴｒ２のベース側は上記フック制御手段７１３に接続されている。また上記第１、第２スイッチＴｒ３，Ｔｒ２の各エミッタは接地されている。
【００３１】
このような構成により、通常待受状態においては、上記フック制御手段７１３（図３参照）は、上記第１スイッチＴｒ３のベースをハイレベルとして当該第１スイッチＴｒ３をオン状態とし、フックスイッチＨＳのオン又はオフ、即ちハンドセット３のオフフック又はオンフックにより上記回線接続スイッチＴｒ１をオン・オフ制御し得るよう構成している。
【００３２】
また、かかる通常待受状態において、後述のキー８のスピーカホン通話ボタン８ａが押圧されると、スピーカホン通話設定信号が上記フック制御手段７１３に送出され（図４参照）、該フック制御手段７１３はハンドセット３がオンフック（フックスイッチＨＳはオフ）の状態において、上記第２スイッチＴｒ２のベースをハイレベルとして当該第２スイッチＴｒ２をオン状態とすることにより、回線接続スイッチＴｒ１をオンして回線を接続し、スピーカホンによる通話、即ちマイク１とスピーカ２によるいわゆるハンズフリー通話を可能とするように構成している。
【００３３】
さらに、自動着信機能設定ボタン８ｃが押された自動着信機能設定状態（自動着信モード）においては、上記フック制御手段７１３（図３参照）が上記第１スイッチＴｒ３のベースをローレベルとすることにより、フックスイッチＨＳのオンオフ状態如何に拘わらず当該第１スイッチＴｒ３を強制的にオフ状態に設定する。これによりフックスイッチＨＳがオン状態（例えば、ハンドセット３が電話機から外れたオフフック状態）においても、回線接続スイッチＴｒ１をオフ状態に維持し、当該電話機を電話回線Ｌ１,Ｌ２側（交換機側）から見て高抵抗（例えば１ＭΩ以上）の状態として、着信動作を可能とするように構成されている。
【００３４】
上記回線ＩＦ４において（図２参照）、４１は、着信信号を検出して回線制御手段７１の着信監視手段７１２（図３参照）に着信検出信号（Ｓｉｇ６）を送出する着信検出回路、４２は、相手方電話機の回線が切断された場合の話中音を検出するトーンデコード回路であり、上記回線制御手段７１の自動着信制御手段７１５（図３参照）が上記デコード回路４２の話中の検出に基づいて通話終了と判断し、フック制御手段７１３を介して上記回線接続スイッチＴｒ１をオフして回線を切断する動作が行われる。
【００３５】
４４は、各種信号の経路を切換えるためのマトリクス状のアナログスイッチからなるクロスポイントスイッチであり、図５に示すように通常は非接続の複数の接点（図５中の交点Ａ，Ｄ等）を有しており、回線制御手段７１内のクロスポイントスイッチ制御手段７１６（図３参照）からの指令信号（Ｓｉｇ４）により、所定の接点を接続状態として、回線接続スイッチＴｒ１とモデム５の接続、マイク１とスピーカ２を電話回線Ｌ１,Ｌ２に接続したスピーカホン通話状態、ハンドセット３と電話回線Ｌ１，Ｌ２との接続等、目的の信号経路を形成するものである。
【００３６】
８は、この電話機の各種機能を設定するためのキーであり、当該キー８には、図２に示すように本電話機にスピーカホン通話を実現するためのスピーカホン通話ボタン８ａ、テンキー８ｂ、本発明に係る自動着信機能を設定するための１つの自動着信機能設定ボタン８ｃ、本発明に係る照明制御機能を設定するための１つの照明制御機能設定ボタン８ｄを具備している。このように自動着信機能又は照明制御機能に設定するためのボタンは各１つであるから、１つのキー操作という極めて簡単な操作により各機能に設定できるように構成している。
【００３７】
１２は、照明ＩＦ（照明インターフェース）であり（図１参照）、上記制御部７の照明制御手段７７に接続されると共に、例えば当該電話機が設置された部屋等の照明器具が接続されている。この照明ＩＦ１２は上記照明制御手段７７からの指令信号により上記照明器具を点灯又は消灯制御するものである。
【００３８】
次に、上記制御部７について図１に基づいて説明する。該制御部７において、上記自動着信機能実現部（イ）は、上記キー８による自動着信機能又は照明制御機能の設定を行う機能設定手段７２、該機能設定手段７２からの指令により回線ＩＦ４を各種状態に設定する回線制御手段７１、上記キー８から入力された発信者電話番号を上記発信者電話番号記憶部１０ｂに記憶するための電話番号登録手段７３、上記発信者情報登録回路６の制御により発信者情報番号記憶部１０ａに記憶された発信者電話番号と、発信者電話番号記憶部１０ｂに予め登録した電話番号が一致するか否かを比較判断する電話番号比較手段７４、該電話番号比較手段７４による比較の結果、電話番号が一致しない場合は、回線制御手段７１の制御に基づいて予め記憶していたメッセージを発信者に送信するためのメッセージ送信手段７８とから構成されている。
【００３９】
また、照明制御機能実現部（ロ）は、照明管理条件を記憶手段１０の照明管理条件記憶部１０ｃに登録するための照明管理条件登録手段７５、時刻情報を発生し照明のオンオフ時刻を認識するための計時手段としての時刻管理手段７６、上記記憶部１０ｃ内に記憶された照明管理条件に基づいて、照明をオンオフ制御する照明制御手段７７を具備している。１１は、例えば照明ＩＦ１２に接続された上記照明器具の設置部屋等の室内光度（単位：［カンデラ］）、任意の部屋の室内光度、或いは当該電話機の設置された住居外の野外光度を検出するための光センサー（光度計）であり、当該センサー１１の出力は上記照明制御手段７７で認識し得るようになっている。
【００４０】
上記機能設定手段７２は、図４に示すように、１つの自動着信機能設定ボタン８ｃが１回押された場合にこれを検出し、自動着信機能イネーブルフラグをオンして、上記回線制御手段７１のフック制御手段７１３に自動着信機能設定指令を与えて上記回線制御手段７１を自動着信機能（自動着信モード）に設定する自動着信機能イネーブルフラグ管理手段７２１、１つの照明制御機能設定ボタン８ｄが１回押されると、照明管理機能イネーブルフラグをオンして上記照明管理機能実現部（ロ）を動作状態（照明制御モード）とする照明管理機能イネーブルフラグ管理手段７２２を具備している。
【００４１】
上記各管理手段７２１，７２２は各設定ボタン８ｃ，８ｄが押される度にイネーブルフラグをオン又はオフ、即ち自動着信機能又は照明管理機能を動作する又は動作しないのトグル設定がされており、上記各設定ボタン８ｃ，８ｄの押圧の度にその情報を保持するように構成されている。
【００４２】
上記回線制御手段７１は図３に示すように、フックスイッチＨＳに接続され該フックスイッチＨＳのオンオフ状態を常時監視しているＨＳ状態監視手段７１１、上記自動着信機能イネーブル管理手段７２１からの信号に基づいて上記第１スイッチＴｒ３及び第２スイッチＴｒ２のオンオフ状態を制御するフック制御手段７１３、着信検出回路４１からの着信検出信号を常時監視している着信監視手段７１２、自動着信モード時にフック制御手段７１３及びクロスポイントスイッチ制御手段７１６等を制御して各種機能を実現する自動着信制御手段７１５、着信監視手段７１２及び自動着信制御手段７１５からの信号に基づいてクロスポイントスイッチ４４を各種状態に設定するクロスポイントスイッチ制御手段７１６を具備している。
【００４３】
本発明は上述のように構成されるものであり、次の本発明に係る自動着信機能付電話機の動作を説明する。
【００４４】
（１）特定発信元電話番号の設定（図１、図６参照）
まず、本発明の電話機を機能させるにあたり、着信を受けるべき特定発信元の電話番号の登録操作を行う。キー８のテンキー８ｂで電話番号記憶モードに設定後、当該テンキー８ｂから特定発信元の電話番号を入力すると（図６Ｐ１,Ｐ２、図１参照）、制御部７の電話番号登録手段７３の制御により入力された電話番号が記憶手段１０の発信者電話番号記憶部１０ｂに記憶される（図６Ｐ１〜Ｐ４）。尚、特定発信元電話番号は複数記憶することが可能である。
【００４５】
（２）通常待受状態（図２，３，７等参照）
通常待受状態では、ハンドセット３が電話機に置かれた状態（オンフック状態）であるので、フックスイッチＨＳはオフ（オープン）となり、回線制御手段７１のＨＳ状態監視手段７１１（図３参照）は当該フックスイッチＨＳがオープンである旨を認識している（図７Ｐ１,Ｐ２）。フック制御手段７１３はかかるフックスイッチの状態を上記監視手段７１１を介して認識し、第１スイッチＴｒ３にハイレベル信号（Ｓｉｇ２）、第２スイッチＴｒ２にローレベル信号（Ｓｉｇ1）を送出する。これにより第１スイッチＴｒ３はオン状態、第２スイッチＴｒ２はオフ状態となり、従って、回線接続スイッチＴｒ１のベースがハイレベルとなって当該スイッチＴｒ１もオフとなっている（図７Ｐ３）。
【００４６】
このように通常待受状態では、ハンドセット３のオンフック状態（ＨＳはオフ）では回線接続スイッチＴｒ１はオフ状態（回線遮断状態）、ハンドセット３のオフフック状態（ＨＳはオン）では、回線接続スイッチＴｒ１のベースがフックスイッチＨＳを介してローレベルとなるため当該スイッチＴｒ１がオン状態（回線接続状態）となる。即ち、第１スイッチＴｒ３を常時オン状態に設定することにより、フックスイッチＨＳの状態、即ち、ハンドセット３のオンフック又はオフフックで回線接続スイッチＴｒ１をオンオフ制御できるように設定される。
【００４７】
従って、ハンドセット３が電話機に正しく設置されているオンフック状態では、回線接続スイッチＴｒ１がオフとなってこの電話機（端末）の抵抗が高抵抗となり、電話回線（交換機側）はこの電話機はオンフック状態（受話器が置かれた状態）であると判断する。即ち、当該電話機は着信可能な通常待受状態となっている。
【００４８】
（２−１）通常着信動作
かかる待受状態において、着信があると、回線ＩＦ４の着信検出回路４１が呼出信号を検出し、当該呼出信号を回線制御手段７１の着信監視手段７１２が検出し（図７Ｐ４、図３参照）、着信があったことをクロスポイントスイッチ制御手段７１６に通知する。上記クロスポイントスイッチ制御手段７１６は、上記通知に基づいて、着信検出信号（Ｓｉｇ４）をクロスポイントスイッチ４４に送出する。するとクロスポイントスッチ４４は（図５参照）、当該検出信号に基づいてマトリクスの接点Ａ，Ｅ−２を接続し、呼出音生成回路４４ａで生成された呼出音をスピーカ２に送出し、これによりスピーカ２で着信音が鳴って着信があったことを居住者に知らせる（図７Ｐ５）。
【００４９】
居住者がハンドセット３を取り上げると（オフフック状態）、フックスッチＨＳがオン（クローズ）となり（図２参照）、これに基づいてオン状態の第１スイッチＴｒ３を介して回線接続スイッチＴｒ１のベースがローレベルとなり当該回線接続スイッチＴｒ１がオンする。これと同時に上記回線制御手段７１のＨＳ状態監視手段７１１がＨＳオン状態を検出し（図７Ｐ６）、これに基づいてクロスポイントスイッチ制御手段７１６はクロスポイントスイッチ４４において電話回線Ｌ１，Ｌ２とハンドセット３との経路形成状態を設定する。具体的には、スピーカ２と呼出音生成回路４４ａとの接続を切断し、接点Ｂ−１，Ｂ−２を接続して電話回線Ｌ１,Ｌ２とハンドセット３とをハイブリッド回路４４ｂを介して接続する（図７Ｐ７）。尚、上記ハイブリッド回路４４ｂは２線の電話回線を送り側と受け側の４線に変換する回路である。
【００５０】
これにより、回線接続スイッチＴｒ１を介して電話回線Ｌ１,Ｌ２とクロスポイントスッチ４４が接続状態となり、その後電話回線Ｌ１,Ｌ２からの音声信号がクロスポイントスイッチ４４を介してハンドセット３に送出され、発信元と会話をすることが可能となる（図７Ｐ７、Ｐ８）。
【００５１】
（２−１−１）ハンドセットが電話機から外れていた場合
かかる通常の待受状態においては、ハンドセット３が誤って電話機から外れていた場合（オフフック状態）、フックスイッチＨＳがオン（クローズ）となり（図７Ｐ２）、これに基づいて回線接続スイッチＴｒ１がオンとなり、電話回線Ｌ１,Ｌ２とクロスポイントスッチ４４が接続された状態、即ち、当該電話機が低抵抗の状態（約３００Ω以下）となる。従って、電話回線側（交換機側）にはこの状態はオフフック状態、即ち通話中と判断され、発信元及びこの電話機には交換機から通話中信号（ビジー信号）が送信される（図７Ｐ９）。従って、当該電話機は着信不可能な状態となる。
【００５２】
要するに、何らかの事故等でハンドセット３が電話機から外れていた場合、かかる通常着信状態では、外部からこの電話に連絡することはできなくなり、緊急事態等の対応が不可能となる。
【００５３】
（３）自動着信機能（フックスイッチの状態に関らず自動着信を行う動作）
（３−１）自動着信待受状態（図２、３、７等参照）
キー８の自動着信機能設定ボタン８ｃが１回押されると（図７Ｐ１）、機能設定手段７２の自動着信機能イネーブルフラグ管理手段７２１がこれを検出し（図４参照）、当該フラグをオンすると共に回線制御手段７１を自動着信状態（自動着信モード）に設定する（図７Ｐ１０）。
【００５４】
具体的には、回線制御手段７１のフック制御手段７１３から第１スイッチＴｒ３のベースをローレベルに設定する強制オフ信号（Ｓｉｇ２）が第１スイッチＴｒ３に送出され、これによりハンドセット３のオンフック状態、オフフック状態にかかわらず常時第１スイッチＴｒ３がオフ状態となるように設定が行われる（図７Ｐ１１、図２参照）。よって、ハンドセット３が電話機から外れたオフフック状態（フックスイッチＨＳはオン状態）においても第１スイッチＴｒ３はオンせずにオフ状態を保つ。従って、ハンドセットの状態（フックスイッチＨＳのオンオフ）に拘わらず、回線接続スイッチＴｒ１は常時オフ状態を維持する。
【００５５】
このため、たとえハンドセット３が電話機から外れていたとしても、電話回線側には回線接続スイッチＴｒ１がオフ、即ち当該電話機が高抵抗の状態と見えて（図７Ｐ１１）、着信が可能な状態となる。
【００５６】
（３−２）自動着信動作
かかる自動着信待受状態において、着信があった場合は、着信検出回路４１が呼出信号を検出し、当該呼出信号の検出を回線制御手段７１の着信監視手段７１２が検出し（図３参照）、これに基づいて自動着信制御手段７１５が着信があったことを認識する（図７Ｐ１２）。そして、自動着信制御手段７１５は、フック制御手段７１３を以って信号（Ｓｉｇ１）により第２スイッチＴｒ２をオンする。これにより、回線接続スイッチＴｒ１もオンして電話回線Ｌ１,Ｌ２とクロスポイントスイッチ４４が接続状態となる（図７Ｐ１３）。
【００５７】
さらに上記回線制御手段７１の自動着信制御手段７１５は、クロスポイントスイッチ制御手段７１６を介してクロスポイントスイッチ４４の接点Ｄを接続状態とし、電話回線Ｌ１,Ｌ２とモデム５を接続する（図７Ｐ１４）。これにより電話回線Ｌ１，Ｌ２から入力する着信信号は回線接続スイッチＴｒ１、クロスポイントスイッチ４４及びモデム５に入力し、該モデム５にて復調された後、発信者情報登録回路６に入力する。上記発信者情報登録回路６はこの着信信号から発信者電話番号を含む発信者情報（例えばＮＴＴ（登録商標）のナンバーディスプレイサービスに相当する信号）を抽出し、当該発信者情報を記憶手段１０の発信者情報記憶部１０ａに登録する（図７Ｐ１５、図１参照）。
【００５８】
次に、制御部７の電話番号比較手段７４（図１参照）は、上記発信者情報記憶部１０ａに登録された発信者情報の内の発信者電話番号と発信者電話番号記憶部１０ｂ内に予め登録された特定発信元電話番号とを比較する（図７Ｐ１６）。
【００５９】
（３−２−１）電話番号が一致しない場合
その結果、電話番号比較手段７４が両者は一致していないと判断すると（図７Ｐ１６）、回線制御手段７１の自動着信制御手段７１５（図３参照）はクロスポイントスイッチ制御手段７１６を介してメッセージ送信手段７８と電話回線Ｌ１，Ｌ２の経路を形成し（クロスポイントスイッチ４４の接点Ｆ，Ｅ−１を接続し）、メッセージ送信手段７８からクロスポイントスイッチ４４を介して電話回線Ｌ１，Ｌ２に「ただいま電話に出られません」、或いは「この電話はお受けできません」等との音声メッセージ（所定のメッセージ）を流した後（図７Ｐ１７）、上記自動着信制御手段７１５がフック制御手段７１３経由で第２スイッチＴｒ２にローレベル信号を送出して該第２スイッチＴｒ２をオフし（図７Ｐ１８）、これにより回線接続スイッチＴｒ１をオフして回線を遮断し、自動着信待受状態に戻る（図７Ｐ１）。
【００６０】
このように電話番号が登録された発信元電話番号に一致しない場合は、着信があっても呼出音も鳴らさず、居住者は電話に出る必要がないため、特定の必要な発信元からの着信のみに確実に応答することが可能となる。
【００６１】
（３−２−２）電話番号が一致する場合
上記電話番号比較手段７４の比較により両電話番号が一致した場合（図７Ｐ１６）、回線制御手段７１の自動着信制御手段７１５（図３参照）は、クロスポイントスイッチ制御手段７１６を介して着信検出信号（Ｓｉｇ４）をクロスポイントスイッチ４４に送信し、この結果、クロスポイントスイッチ４４において接点Ａ,Ｅ−２が接続され、呼出音生成回路４４ａで生成された着信呼出音がスピーカ２から放出される。即ち、自動着信呼出動作が行われる（図７Ｐ１９）。
【００６２】
（３−２−３）一定時間内に応答がない場合
その後、回線制御手段７１の自動着信制御手段７１５はタイマＴを以って一定時間の計時(例えば１０コール数に相当する時間の計時)を開始し、当該一定時間内に居住者による「応答」操作がなければ（図８Ｐ２０）、同着信制御手段７１５は現在のハンドセット３のオンフック、オフフックの状態如何に拘わらず、クロスポイントスイッチ制御手段７１６を介して上記クロスポイントスイッチ４４に対してスピーカホン通話状態に設定する旨の指令信号（Ｓｉｇ４）を送信する。尚、上記一定時間の計時は、自動着信制御手段７１５が着信検出回路４１で検出された呼出信号のコール数を着信監視手段７１２を介してカウントする（例えば１０コールをカウントする）ことにより行うこともできる。上記一定時間やカウント数は設定変更できるように構成することが好ましい。
【００６３】
その結果、クロスポイントスイッチ４４において、接点Ａ,Ｅ−２が遮断されて呼出音が消えると共に、接点Ｅ−１，Ｅ−２が接続され、スピーカ２とマイク１が電話回線Ｌ１，Ｌ２に接続され、これらスピーカ２とマイク１によるスピーカホン通話可能状態、いわゆるハンズフリー通話状態に設定される（図８Ｐ２１）。例えば、ここで発信元の「もしもし、○○さん、大丈夫ですか」等の音声がスピーカ２から発せられ、居住者は上記マイク１により応答可能な状態となる。
【００６４】
従って、居住者はたとえハンドセット３が外れた状態にあり、かつ事故等でハンドセット３を持ち上げることができない状態にあったとしても、何等の操作をも必要とせずにスピーカホンによる通話を行うことができる。
【００６５】
（３−２−４）一定時間内に応答があった場合
上記回線制御手段７１の自動着信制御手段７１５は、タイマＴにより一定時間を計時し、上記一定時間内にＨＳ状態監視手段７１１（図３参照）経由でハンドセット３を電話機から取り上げる動作があったか否か、又はフック制御手段７１３経由でスピーカホン通話ボタン８ａが押されたか否かの判定を行う（図８Ｐ２２〜Ｐ２５）。
【００６６】
ここで、ハンドセット３の取り上げ動作があれば（図８Ｐ２３）、自動着信制御手段７１５は上記ＨＳ状態監視手段７１１経由でこれを検出し、クロスポイントスイッチ制御手段７１６を介してクロスポイントスイッチ４４の接点Ｂ−１，Ｂ−２を接続状態として、ハンドセット３による通話状態を確立する（図８Ｐ２４）。
【００６７】
一方、上記一定時間内にスピーカホン通話ボタン８ａの押圧があれば（図８Ｐ２５）、自動着信制御手段７１５はフック制御手段７１３経由でこれを検出し、クロスポイントスイッチ制御手段７１６を介してクロスポイントスイッチ４４をスピーカホン通話の状態（クロスポイントスイッチ４４の接点Ｅ−１，Ｅ−２の接続状態）に設定する（図８Ｐ２６）。
【００６８】
従って、居住者はハンドセット３の持ち上げ或いはスピーカ通話ボタン８ａの操作が可能な状況であれば、これらの操作を行うことにより通常通りの通話を行うこともできる。
【００６９】
（３−３）通話終了
通話が終了すると、ハンドセット通話をしていた場合はハンドセット３をオンフックすることによりフックスイッチＨＳがオフし、自動着信制御手段７１５はフックスイッチＨＳのオフをＨＳ状態監視手段７１１経由で検出する。ここでは（自動着信モード）第２スイッチＴｒ３が強制オフ状態を維持しているので、上記自動着信制御手段７１５は、上記フックスイッチＨＳのオフ検出に基づいてフック制御手段７１３を以って第２スイッチＴｒ２をオフする。よって回線接続スイッチＴｒ１がオフして回線が遮断される（図８Ｐ２７）。スピーカホン通話をしていた場合は、通話者がスピーカホン通話ボタン８ａを再度押圧することでフック制御手段７１３が上記第２スイッチＴｒ２をオフし、その結果回線接続スイッチＴｒ１がオフして回線が遮断される（図８Ｐ２７）。
【００７０】
尚、通話中に電話の相手がハンドセットをオンフックする等して回線を切断した場合は、上記自動着信制御手段７１５は話中音をトーンデコード回路４２を介して検出し、当該検出に基づいてフック制御手段７１３を介して第２スイッチＴｒ２をオフ状態とする。これによって回線接続スイッチＴｒ１もオフされ回線が遮断される（図８Ｐ２７）。このときも、上述のように第１スイッチＴｒ３にはＴｒ３強制オフ信号Ｓｉｇ２が依然として送出されており、第１スイッチＴｒ３はオフ状態を維持しているから、上記（３−１）の自動着信待受状態に復帰する（図７Ｐ１）。
【００７１】
（４）照明制御の動作
（４−１）照明管理条件の設定（図９参照）
まず、キー８を用い照明点灯時刻を設定する。具体的には、キー８で照明管理条件記憶モードに設定した後、該キー８から照明を点灯させたい時刻（ここでは午後４時から午後１１時とする）を入力する（図９Ｐ１,Ｐ２、図４参照）。すると、照明管理条件登録手段７５は照明点灯時刻が午後４時から午後１１時であることを記憶手段１０の照明管理条件記憶部１０ｃに記憶する（図９Ｐ３）。さらに、キー８から照明点灯のトリガーを「光センサー」にするか「設定時刻」にするかの何れかを選択する（図９Ｐ４）。当該トリガー条件も照明管理条件登録手段７５の制御により上記照明管理条件記憶部１０ｃに記憶される（図９Ｐ５）。ここでは、「設定時刻」によるトリガー条件が選択されたとする。
【００７２】
（４−２）照明制御動作（図１０参照）
キー８の照明制御機能設定ボタン８ｄをオンすると、機能設定手段７２の照明管理機能イネーブルフラグ管理手段７２２が当該フラグをオンし、照明管理条件実現部（ロ）の照明管理機能を動作状態に設定する（図１０Ｐ１,Ｐ２、図４参照）。その後、照明制御手段７７は、照明管理条件記憶部１０ｃから設定時刻が「午後４時−午後１１時」であること、及びトリガー条件が「設定時刻」であることを読出して認識する。この場合、トリガー条件が「設定時刻」であるため、当該制御手段７７はそれを認識し（図１０Ｐ３）、時刻管理手段７６から入力する現在時刻に基づいて、当該現在時刻が設定時刻の範囲内であるか否かを判断する（図１０Ｐ４）。そして、現在時刻が設定時刻の範囲内であれば、照明ＩＦ１２に照明点灯信号を送出し、これに基づいて照明ＩＦ１２に接続された照明器具にオン信号が送出され、当該照明器具が点灯する（図１０Ｐ６）。現在時刻が設定時間の範囲外であれば照明ＩＦ１２に照明消灯信号を送出し、これに基づいて上記照明器具は消灯される（図１０Ｐ７）。
【００７３】
尚、上記トリガー条件が「光センサー」であった場合は、上記照明制御手段７７は、図１０の上記ステップＰ３においてその旨認識した後、光センサー１１からの出力信号レベルとしての光度を検出し、当該光度が設定光度の範囲内であるか否かを判断する（図１０Ｐ５）。ここで、設定光度の範囲とは、例えば夕暮れ時等薄暗くなり当該部屋の照明が必要となる光度から、明け方に周囲が明るくなって照明が必要でなくなる光度までの範囲とする。そして、上記照明制御手段７７は上記光度が上記範囲内であると判断した場合は照明ＩＦ１２に点灯信号を送出し、これにより照明器具が点灯する（図１０Ｐ６）。上記照明制御手段７７が上記光度が上記範囲外であると判断した場合は照明ＩＦ１２に照明消灯信号を送出し、これに基づいて上記照明器具は消灯される（図１０Ｐ７）。
【００７４】
このように、本発明に係る照明管理機能によると、当該電話機の着信の有無に拘わらず照明器具を点灯制御することができ、例えば独居老人宅の照明管理を安全確実に行うことができるものである。
【００７５】
以上のように本発明によると、自動着信モードに設定しておけば、ハンドセット３が何らかの原因により電話機から外れた場合であっても、特定発信元からの電話を確実に自動着信して呼出を行うことができ、しかも、自動着信呼出後に何等応答操作をしなくても自動的にスピーカホン通話状態に設定されるため、例えば独居老人等に対する緊急連絡等を確実に行うことができるし、事故等でハンドセットを持てない場合等でも通話を行うことができる。
【００７６】
また、特定発信元以外からの着信は、自動着信呼出動作が行われることなく、例えば電話に出られない旨のメッセージが発信元に送信されるため、不必要な電話は呼出音もならず一切応答する必要がない。
【００７７】
また、照明制御モードにおいては、例えば午後５時から午前４時までの時間帯において自動的に照明を点灯させる等の照明制御を容易に行うことができ、特に防犯対策としても極めて有効に利用することができるものである。
【００７８】
また、１つの機能設定ボタンの１回の操作（例えば押圧操作）という極めて簡単な操作により自動着信モード或いは照明制御モードに設定することができるため、機能設定操作が簡単であり、例えば介護の必要な老人、病人等であっても容易に使用することができる。
【図面の簡単な説明】
【００７９】
【図１】本発明に係る自動着信機能付電話機のブロック図である。
【図２】同上電話機の回線ＩＦの詳細を示すブロック図である。
【図３】同上電話機の回線制御手段の機能を示す機能ブロック図である。
【図４】同上電話機の機能設定手段の機能を示す機能ブロック図である。
【図５】クロスポイントスイッチの構成図である。
【図６】同上電話機の動作手順を示すフローチャートである。
【図７】同上電話機の動作手順を示すフローチャートである。
【図８】同上電話機の動作手順を示すフローチャートである。
【図９】同上電話機の動作手順を示すフローチャートである。
【図１０】同上電話機の動作手順を示すフローチャートである。
【符号の説明】
【００８０】
１          マイク
２          スピーカ
３          ハンドセット
８ｃ        自動着信機能設定ボタン
８ｄ        照明制御機能設定ボタン
１１        光センサー
１２        照明ＩＦ
７２        機能設定手段
７４        電話番号比較手段
７５        照明管理条件登録手段
７６        時刻管理手段
７７        照明制御手段
７８        メッセージ送信手段
７１３      フック制御手段
７１５      自動着信制御手段
Ｔｒ１      回線接続スイッチ
ＨＳ        フックスイッチ
Ｌ１，Ｌ２  電話回線
【図１】
2006050365.tif 000003
【図２】
2006050365.tif 000004
【図３】
2006050365.tif 000005
【図４】
2006050365.tif 000006
【図５】
2006050365.tif 000007
【図６】
2006050365.tif 000008
【図７】
2006050365.tif 000009
【図８】
2006050365.tif 000010
【図９】
2006050365.tif 000011
【図１０】
2006050365.tif 000012